(57)【特許請求の範囲】
【請求項１】
略上下方向に延びて商品を収納する収納搬送路と、この収納搬送路上端の搬送路入口部分に向けて斜め下方に傾斜する傾斜導入通路と、この傾斜導入通路の少なくとも底面壁部をなす入口ガイドと、この入口ガイドに沿って横方向に位置調整可能に配置され、傾斜導入通路の側面壁部をなして有効通路幅を調整する幅ガイドとを備え、
幅ガイドに形成された爪を、入口ガイドに横方向に間隔をあけて複数形成されたスリットのうちの一つのスリットを選択して挿入させることで幅ガイドを位置決めして入口ガイドに係合させる自動販売機であって、
前記幅ガイドの爪がその頂部に向けて両側または片側に傾斜する形状であり、
前記入口ガイドのスリットの孔形状が、前記幅ガイドの爪の頂部が挿入される箇所は膨らんで太幅となり、前記幅ガイドの爪の端部が挿入されるスリットの端部が細幅となり、これらの太幅部分と細幅部分とがなだらかにつながった形状である
ことを特徴とする自動販売機の幅ガイド調整装置。
【請求項２】
幅ガイドの爪と入口ガイドのスリットとが、傾斜導入通路における商品流れ方向に対して２組設けられ、
幅ガイドにおける商品流れ方向下流側に配設された爪がその頂部に向けて両側または片側に傾斜する形状であり、この爪に対応する入口ガイドのスリットの孔が、前記幅ガイドの爪の頂部が挿入される箇所は膨らんで太幅となり、前記幅ガイドの爪の端部が挿入されるスリットの端部が細幅となり、これらの太幅部分と細幅部分とがなだらかにつながった形状であり、
商品流れ方向上流側に配設された爪が、入口ガイドの前端にスライド可能に係合する幅ガイドの第１係合操作部が設けられた箇所と、入口ガイドにおいて横方向に延びるように形成されたスライド孔に挿通して係合する幅ガイドの第２係合操作部が設けられた箇所との間に配置されている
ことを特徴とする請求項１に記載の自動販売機の幅ガイド調整装置。
【請求項３】
幅ガイドにおける商品流れ方向上流側に配設された爪も、その頂部に向けて両側または片側に傾斜する形状であり、この爪に対応する入口ガイドのスリットの孔が、前記幅ガイドの爪の頂部が挿入される箇所は膨らんで太幅となり、前記幅ガイドの爪の端部が挿入されるスリットの端部が細幅となり、これらの太幅部分と細幅部分とがなだらかにつながった形状である
ことを特徴とする請求項２に記載の自動販売機の幅ガイド調整装置。
【発明の詳細な説明】
【０００１】
【発明の属する技術分野】
本発明は自動販売機の幅ガイド調整装置に関するものである。
【０００２】
【従来の技術】
略上方から下方に延びる収納搬送路に商品を収納して下方に送り、下端の商品を払い出す、いわゆるサーペンタイン式などの自動販売機は既に知られている。この種の自動販売機においては、図１１に示すように、前面扉を開閉自在に支持する自動販売機本体１０の上部手前側に商品Ｘを投入する投入口１が設けられているとともに、この投入口１が設けられている手前側箇所から奥側の収納搬送路２における上端の搬送路入口部分に向けて斜め下方に傾斜する傾斜導入通路３が設けられている。この傾斜導入通路３の底面壁部および片側の側面壁部（図示せず）は入口ガイド４により形成されており、投入口１から投入された商品Ｘは、入口ガイド４上（傾斜導入通路３）を流れながら奥側に送られ、その後、接続部を介して収納搬送路２内に導入されるようになっている。これらの傾斜導入通路３をなす入口ガイド４や収納搬送路２はその両側に立設された側壁５間に跨って配設されている。
【０００３】
ところで、上記自動販売機の商品Ｘとしては、複数種類の円筒形の缶商品やＰＥＴボトル商品などがあるが、これらの長さの異なる商品Ｘにも対応できるように、入口ガイド４上には、商品の長さ（長手方向の長さ）に応じて有効通路幅Ｗ（図１３参照）を調節する幅ガイド１１が設けられている。なお、図１１に示すように、必要に応じて、収納搬送路２の有効通路幅をも調節できるように横方向に移動自在の搬送路幅ガイド９が設けられている場合もあり、搬送路幅ガイド９が設けられている箇所については、幅ガイド１１の後端部１１ａが搬送路幅ガイド９の上端部に左右から挟んだ状態で係合して、幅ガイド１１と搬送路幅ガイド９とが一体的に移動可能に構成されている。
【０００４】
幅ガイド１１は、図１２〜図１４に示すように、入口ガイド４上に沿う底面部１２と、底面部１２の片端部から上方に延びて有効通路幅Ｗを規制する側面部１３とから構成されている。また、底面部１２の前端には、入口ガイド４の前端に形成されたロッド部４ａに沿って左右にスライド自在に係合する半円フック形状の第１係合操作部１４が形成され、また、底面部１２の前端よりも少し奥側の箇所には、入口ガイド４に形成された左右に延びるスライド溝４ｂに沿って左右にスライド自在に係合する鉤型フック形状の第２係合操作部１５が形成され、これらの第１係合操作部１４および第２係合操作部１５が入口ガイド４に係合した状態で左右にスライド自在とされている。
【０００５】
さらに、幅ガイド１１の底面部１２の後端部には、下方に突出する爪１６（図１５（ａ）に示すように、板状の爪１６を単に下方に曲げて切り起こしたり、図１５（ｂ）に示すように、爪１６自体がある程度幅を有するように切り起こして形成したりしている）を形成し、入口ガイド４の奥側箇所には、前記爪１６が挿入される矩形スリット１７を、左右方向の位置が異なる複数箇所に形成している。
【０００６】
そして、商品の変更に伴って幅ガイド１１の位置を変更する場合には、図１２において仮想線で示すように、第２係合操作部１５を下方から押し上げて、第１係合部１４が係合した入口ガイド４のロッド部４ａを支点として、幅ガイド１１の後方側部分が入口ガイド４より浮き上がった姿勢（したがって爪１６が矩形スリット１７から離脱した姿勢）で、幅ガイド１１を左右に移動させ、適切な矩形スリット１７に爪１６を挿入させるようになっている。
【０００７】
ここで、矩形スリット１７は爪１６がある程度余裕を持った状態で挿入できるよう、若干大きめに形成されている。また、第１係合操作部１４も製作精度上の関係から、入口ガイド４のロッド部４ａに対してある程度がたつきがある状態で係合している。したがって、入口ガイド４の奥行寸法が大きいものの場合には、幅ガイド１１の爪１６を１つの矩形スリット１７に挿入している状態でも、幅ガイド１１の前端部が、図１４において、仮想線で示すように、爪１６による係合位置を支点として左右に振れてしまう。
【０００８】
このため、入口ガイド４の奥行き寸法が大きいものの場合（図１１においては最上段の入口ガイド４）には、図１６、図１７に示すように、爪と矩形スリットとをもう１組設けている。具体的には、幅ガイド１１の前寄り箇所（詳しくは、第２係合操作部１５よりも少しだけ奥側の箇所）に下方に突出する補助爪１８を一体形成するとともに、この補助爪１８を挿入させることができる補助矩形スリット１９を入口ガイド４の左右方向の異なる複数箇所に形成し、幅ガイド１１の爪１６および補助爪１８を入口ガイド４の適切な位置の矩形スリット１７および補助矩形スリット１９に挿入させて、幅ガイド１１の位置ずれが少なくなるように図っている。
【０００９】
【発明が解決しようとする課題】
しかしながら、上記従来構成によれば、幅ガイド１１の位置調整を行うために操作する際に、幅ガイド１１に爪１６だけが設けられているものでは、図１８に示すように、第１係合操作部１４を回転中心として、そのがたつきの範囲内で幅ガイド１１全体が斜めに振れるため、入口ガイド４の矩形スリット１７に対して平行となり難くなって、角度のずれを生じてしまう。したがって、幅ガイド１１の後部が、望ましい位置近傍まで移動されても、幅ガイド１１の爪１６が入口ガイド４の適切な位置の矩形スリット１７に挿入され難くなり、多くの手間や時間がかかって操作性が悪くなっていた。
【００１０】
また、図１６、図１７に示すような、幅ガイド１１に爪１６および補助爪１８が設けられているものでは、上述したように、これらが適切な位置の矩形スリット１７および補助矩形スリット１９に一旦挿入された場合には、位置設定の信頼性が良好となる一方で、この場合には、爪１６が矩形スリット１７に入り難いという現象が、補助爪１８と補助矩形スリット１９との２箇所で同様に生じるため、爪１６および補助爪１８を矩形スリット１７および補助矩形スリット１９に同時に挿入させることが一層困難となり、操作性がさらに悪くなっていた。
【００１１】
本発明は上記課題を解決するもので、多くの手間や時間をかけなくても幅ガイドの位置設定を行うことができ、しかも位置設定を行った際の信頼性が良好に維持することができる自動販売機の幅ガイド調整装置を提供することを目的とする。
【００１２】
【課題を解決するための手段】
上記課題を解決するために本発明の請求項１記載の自動販売機の幅ガイド調整装置は、略上下方向に延びて商品を収納する収納搬送路と、この収納搬送路上端の搬送路入口部分に向けて斜め下方に傾斜する傾斜導入通路と、この傾斜導入通路の少なくとも底面壁部をなす入口ガイドと、この入口ガイドに沿って横方向に位置調整可能に配置され、傾斜導入通路の側面壁部をなして有効通路幅を調整する幅ガイドとを備え、幅ガイドに形成された爪を、入口ガイドに横方向に複数間隔をあけて形成されたスリットのうちの一つのスリットを選択して挿入させることで幅ガイドを位置決めして入口ガイドに係合させる自動販売機であって、前記幅ガイドの爪がその頂部に向けて両側または片側に傾斜する形状であり、前記入口ガイドのスリットの孔形状が、前記幅ガイドの爪の頂部が挿入される箇所は膨らんで太幅となり、前記幅ガイドの爪の端部が挿入されるスリットの端部が細幅となり、これらの太幅部分と細幅部分とがなだらかにつながった形状であることを特徴とする。
【００１３】
この構成において、幅ガイドが移動されて、適切な位置のスリットの近傍に幅ガイドの爪が移動されてくると、幅ガイドの爪の頂部が挿入されるスリットの部分は膨らんで太幅となっているので、比較的容易に幅ガイドの爪の頂部をスリットの太幅部分に入り込ませることができる。一旦、幅ガイドの爪の頂部がスリットの太幅部分に入り込むと、爪の頂部に続く稜線の部分が、スリットにおける太幅部分と細幅部分とのつながった形状の部分に案内されながら、その孔に入り込み、そして、幅ガイドの爪全体がスリットに挿入される。この状態では、スリットの細幅部分でも幅ガイドの爪が入り込んでいるので、がたつきを少なくすることができて、位置設定を行った際の信頼性を良好に維持することができる。
【００１４】
また、請求項２に記載の発明は、請求項１に記載の自動販売機の幅ガイド調整装置において、幅ガイドの爪と入口ガイドのスリットとが、傾斜導入通路における商品流れ方向に対して２組設けられ、幅ガイドにおける商品流れ方向下流側に配設された爪がその頂部に向けて両側または片側に傾斜する形状であり、この爪に対応する入口ガイドのスリットの孔が、前記幅ガイドの爪の頂部が挿入される箇所は膨らんで太幅となり、前記幅ガイドの爪の端部が挿入されるスリットの端部が細幅となり、これらの太幅部分と細幅部分とがなだらかにつながった形状であり、商品流れ方向上流側に配設された爪が、入口ガイドの前端にスライド可能に係合する幅ガイドの第１係合操作部が設けられた箇所と、入口ガイドにおいて横方向に延びるように形成されたスライド孔に挿通して係合する幅ガイドの第２係合操作部が設けられた箇所との間に配置されていることを特徴とする。
【００１５】
この構成によれば、商品流れ方向上流側に配設された爪が、第２係合操作部が設けられている箇所よりも奥側（商品流れ方向下流側）にある場合と比較して、傾斜導入通路における商品流れ方向に対して上流側の爪と下流側の爪との間の距離を大きくとることができるので、位置設定を行った際の幅ガイドの振れる角度を減少させることができて信頼性がさらに良好になる。
【００１６】
また、請求項３に記載の発明は、請求項２に記載の自動販売機の幅ガイド調整装置において、幅ガイドにおける商品流れ方向上流側に配設された爪も、その頂部に向けて両側または片側に傾斜する形状であり、この爪に対応する入口ガイドのスリットの孔が、前記幅ガイドの爪の頂部が挿入される箇所は膨らんで太幅となり、前記幅ガイドの爪の端部が挿入されるスリットの端部が細幅となり、これらの太幅部分と細幅部分とがなだらかにつながった形状であることを特徴とする。
【００１７】
この構成によれば、商品流れ方向上流側に配設された爪についても、その頂部を比較的容易にスリットの太幅部分に入り込ませることができ、一旦、幅ガイドの爪の頂部がスリットの太幅部分に入り込むと、爪の頂部に続く稜線の部分もスリットの孔に入り込み、幅ガイドの爪全体がスリットに挿入される。そして特に、幅ガイドの手前側部分を持って幅ガイドの位置を調節する場合には、この持つ部分からの距離が、商品流れ方向上流側に配設された爪の方が、下流側の爪よりも近くにあるために適したスリットに入りやすく、このように、商品流れ方向上流側に配設された爪が、適したスリットに挿入されると、そのスリットに挿入した爪のがたつきの範囲内でしか幅ガイド全体が振れなくなり、その結果、商品流れ方向下流側に配設された爪についても、適したスリットにさらに容易に入りやすくなる。
【００１８】
【発明の実施の形態】
以下、本発明の実施の形態にかかる自動販売機の幅ガイド調整装置を図面に基づき説明する。なお、従来の自動販売機と同様な機能の構成要素には同符号を付す。
【００１９】
図１〜図４に示すように、この自動販売機の幅ガイド調整装置においては、傾斜導入通路３の有効通路幅Ｗを調整する幅ガイド１１に、第１の爪２１と第２の爪２２とが設けられている。
【００２０】
幅ガイド１１は、入口ガイド４上に沿う底面部１２と、底面部１２の片端部から上方に延びて有効通路幅Ｗを規制する側面部１３とから構成されている。また、底面部１２の前端には、入口ガイド４の前端に形成されたロッド部４ａに沿って左右にスライド自在に係合する半円フック形状の第１係合操作部１４が形成され、また、底面部１２の前端よりも少し奥側の箇所には、入口ガイド４に形成された左右に延びるスライド溝４ｂに沿って左右にスライド自在に係合する鉤型フック形状の第２係合操作部１５が形成され、これらの第１係合操作部１４および第２係合操作部１５が入口ガイド４に係合した状態で左右にスライド自在とされている。
【００２１】
図５、図６に示すように、第１の爪２１は、幅ガイド１１の底面部１３の後端部、すなわち、商品流れ方向下流端箇所に配設されており、平板状の部分を下方に突出するように曲げて形成されている。そして、この第１の爪２１は、少し丸められた頂部２１ａに向けて両側の稜線部２１ｂが傾斜する略三角形状とされている。
【００２２】
また、入口ガイド４の奥側箇所には、第１の爪２１が挿入される第１のスリット２３が、左右方向の位置が異なる複数箇所に形成されている。ここで、第１のスリット２３の孔形状は、第１の爪２１の頂部２１ａが挿入される中央部２３ａは円弧状に膨らんで太幅となり、第１の爪２１の傾斜部端部である稜線部２１ｂが挿入される両端部２３ｂが細幅となり、これらの太幅の中央部２３ａと細幅の両端部２３ｂとがなだらかにつながった形状とされている。また、第１のスリット２３における両端部２３ｂの細幅部分の幅寸法は、第１の爪２１の厚みに、僅かの余裕分（がたつき）を加えた寸法とされている。
【００２３】
図２、図６に示すように、第２の爪２２は、幅ガイド１１における第１係合操作部１４が設けられた箇所と、第２係合操作部１５が設けられた箇所との間に配設されており、平板帯状の部分全体が、側面視して逆台形形状に下方に突出するように切り起こして形成されている。
【００２４】
また、入口ガイド４の手前側箇所には、第２の爪２２が挿入される第２のスリット２４が、左右方向の位置が異なる複数箇所に形成されている。ここで、第２のスリット２４の孔形状は、奥行き方向に長い矩形形状とされている。また、第２のスリット２４における孔の幅寸法は、第２の爪２２の幅に、僅かの余裕分（がたつき）を加えた寸法とされている。
【００２５】
上記構成において、収納する商品の変更に伴って幅ガイド１１の位置を変更する場合には、図２において仮想線で示すように、第２係合操作部１５を下方から押し上げ、第１係合部１４が係合した入口ガイド４のロッド部４ａを支点として、幅ガイド１１の後方側部分が入口ガイド４より浮き上がった姿勢（したがって、第１および第２の爪２１、２２が第１および第２のスリット２３、２４から離脱した姿勢）で、第１係合操作部１４および第２係合操作部１５を操作しながら幅ガイド１１を左右に移動させ、適切な第１および第２のスリット２３、２４に第１および第２の爪２１、２２を挿入させる。
【００２６】
この場合に、第２の爪２２は幅ガイド１１の前端部近傍の、比較的見やすい場所に設けられているので、適した位置の第２のスリット２４に比較的簡単に挿入させることができる。
【００２７】
また、第１の爪２１と第２の爪２２との間の距離が従来のものよりもさらに大きくなっているので、幅ガイド１１における第１の爪２１が設けられている後端部は、第２の爪２２を中心とした振れ量が大きくなり、第１の爪２１を第１のスリット２３に合わせ難くなる。しかしながら、第１の爪２１の頂部２１ａが挿入される第１のスリット２３の中央部２３ｂは膨らんで太幅となっているので、幅ガイド１１の後端部側箇所が正規の位置に対して少しずれている場合でも、第１の爪２１の頂部２１ａを比較的容易に第１のスリット２３の中央部２３ｂに入り込ませることができる。そして一旦、第１の爪２１の頂部２１ａが第１のスリット２３の中央部２３ｂに入り込むと、第１の爪２１における頂部２１ａに続く稜線部２１ｂが、第１のスリット２３における太幅の中央部２３ｂと細幅の端部２３ｂとの間のつながった形状の部分に当接して案内されながら、第１のスリット２３の孔に入り込み、さらには、第１の爪２１全体が第１のスリット２３に挿入される。
【００２８】
また、第１の爪２１全体が第１のスリット２３に完全に挿入した状態では、第１のスリット２３における細幅の両端部２３ｂでも第１の爪２１が入り込んでいる。したがって、この際には、第１のスリット２３の中央部２３ａの幅に関係なく、第１の爪２１における稜線部２１ｂの端部と第１のスリット２３の端部２３ｂとの間の隙間分だけのがたつきしか生じない。
【００２９】
また、この場合に、幅ガイド１１の第２の爪２２は、第２係合操作部１５が設けられている箇所よりも手前側に配設されているので、第２の爪２２が第２係合操作部１５の箇所よりも奥側に配設されている場合に比べて、第１の爪２１との間の距離を大きくとることができ、位置設定を行った際の幅ガイド１１の振れる角度を減少させることができて信頼性がさらに良好になる。
【００３０】
また、第１の爪２１および第２の爪２２は、幅ガイド１１の底面部１２の一部を切り起こして形成したので、幅ガイド１１とは別途部品で第１の爪２１や第２の爪２２を形成した場合に比べて製造コストを安価に済ませることができて、従来から製造コストが増加することもない。
【００３１】
なお、上記実施の形態においては、最上段および上から２段目の入口ガイド４および幅ガイド１１とも、第２の爪２２および第２のスリット２４が設けられている場合を説明したが、これに限るものではなく、通路長さが比較的短い、例えば上から２段目の傾斜導入通路３の有効通路幅を調整する幅ガイド１１などは、第２の爪２２を設けずに、第１の爪２１のみ設けて、これに対応して入口ガイド４には、第２のスリット２４を設けずに、第１のスリット２３だけを設けるように構成してもよい。
【００３２】
また、上記実施の形態においては、第１の爪２１として板状の部分の一辺を単に下方に曲げて形成したものの場合を述べたが、これに限るものではなく、帯状部分の両側を切断してある程度の幅を有する帯状に切り起こして形成したものを用いてもよいことはもちろんである。
【００３３】
さらに、図７、図８に示すように、第２の爪２２および第２のスリット２４の形状を、上述した第１の爪２１および第１のスリット２３の形状と同様に構成してもよい。すなわち、第２の爪２２についても、平板状の部分を下方に突出するように曲げて形成し、少し丸められた頂部２２ａに向けて両側の稜線部２２ｂが傾斜する略三角形状とし、また、第２のスリット２４の孔形状を、第２の爪２２の頂部２２ａが挿入される中央部２４ａは円弧状に膨らんで太幅となり、第２の爪２２の傾斜部端部である稜線部２２ｂが挿入される両端部２４ｂが細幅となり、これらの太幅の中央部２４ａと細幅の両端部２４ｂとがなだらかにつながった形状とする。
【００３４】
この場合には、第１係合操作部１４や第２係合操作部１５に近くに配設された第２の爪２２についても、その頂部２２ａを比較的容易に第２のスリット２４の太幅部分に入り込ませることができ、一旦、第２の爪２２の頂部２２ａが第２のスリット２４の太幅の中央部２４ａに入り込むと、第２の爪２２の頂部２２ａに続く稜線部２２ｂも第２のスリット２４の両端部２４ｂに入り込み、第２の爪２２全体が第２のスリット２４に挿入させることができる。そして、このように、第１係合操作部１４や第２係合操作部１５に近くに配設されているために操作時に位置決めし易い第２の爪２２が、適した第２のスリット２４に挿入されると、その第２のスリット２４に挿入した第２の爪２２のがたつきの範囲内でしか幅ガイド１１が振れなくなるため、商品流れ方向下流側に配設された第１の爪２１についても、第１のスリット２３にさらに容易に入りやすくなり、操作性が一層向上する。
【００３５】
また、図１などに示すように、これらの実施の形態においても、必要に応じて、収納搬送路２の有効通路幅を調節できるように横方向に移動自在の搬送路幅ガイド９が設けられ、搬送路幅ガイド９が設けられている箇所については、幅ガイド１１の後端部１１ａに、搬送路幅ガイド９の上端部を左右から挟んで係合させる部分が設けられ、幅ガイド１１の後端部が搬送路幅ガイド９の上端部に係合して、幅ガイド１１と一体的に搬送路幅ガイド１１を移動させることができるようになっているが、これに限るものではない。
【００３６】
さらに、上記図１〜図６に示す第１の実施の形態では、第１の爪２１は、その頂部２１ａに向けて両側の稜線部２１ｂが傾斜する略三角形状とされ、また、第１のスリット２３は、中央部２３ａが円弧状に膨らんで太幅となり、第１の爪２１の傾斜部端部である稜線部２１ｂが挿入される両端部２３ｂが細幅となっている場合を述べ、この場合には、第１の爪２１の頂部２１ａが第１のスリット２３の中央部２３ａに一旦入り込むと、第１の爪２１における両側の稜線部２１ｂが第１のスリット２３に当接するため、第１の爪２１が良好に案内されて第１のスリット２３内に要り込み易い利点があるが、これに限るものではない。つまり、図９に示すように、第１の爪２１として、その頂部２１ａに向けて片側の稜線部２１ｂが傾斜する略三角形状のものを用い、また、第１のスリット２３として、第１の爪２１の頂部２１ａが突入する一端部側が膨らんで太幅となり、他端部側が細幅となっている場合でも、類似した作用効果を得ることができる。また、図７、図８に示す第１の爪２１、第２の爪２２、第１のスリット２３、第２のスリット２４についても同様である。
【００３７】
また、入口ガイド４の片側だけに幅ガイド１１を設けることに限るものではなく、図１０に示すように、入口ガイド４の左右両側に幅ガイド１１を設けて、両方の幅ガイド１１にて有効通路幅Ｗを規制してもよい。
【００３８】
また、図１０に示すように、傾斜導入通路３をなす入口ガイド４を商品流れ方向に対して複数に分割し、傾斜導入通路３の長さが異なるものに対しても共通化した入口ガイド４Ａ、４Ｂ、４Ｃを用いることができるように構成してもよい。この場合には、各入口ガイド４Ａ、４Ｂ、４Ｃ毎に第１および第２のスリット２３、２４を設けて、手前側の入口ガイド４Ａの第２のスリット２４’と奥側の入口ガイド４Ｃの第１のスリット２３’とを用いればよい。
【００３９】
【発明の効果】
以上のように本発明によれば、有効通路幅を調整する幅ガイドに形成された爪を、その頂部に向けて傾斜する形状とし、入口ガイドのスリットの孔を、前記幅ガイドの爪の頂部が挿入される箇所は膨らんで太幅となり、前記幅ガイドの爪の端部が挿入されるスリットの端部が細幅となり、これらの太幅部分と細幅部分とがなだらかにつながった形状とすることにより、幅ガイドの爪を入口ガイドのスリットに容易に挿入できて、利便性を向上させることができ、かつ、位置設定を行った際の信頼性を良好に維持することができる。
【００４０】
また、幅ガイドの爪と入口ガイドのスリットとを、傾斜導入通路における商品流れ方向に対して２組設け、商品流れ方向上流側に配設された爪を、入口ガイドの前端にスライド可能に係合する幅ガイドの第１係合操作部が設けられた箇所と、入口ガイドにおいて横方向に延びるように形成されたスライド孔に挿通して係合する幅ガイドの第２係合操作部が設けられた箇所との間に配置することにより、位置設定を行った際の幅ガイドの振れる角度を減少させることができて、信頼性がさらに良好になる。
【００４１】
さらに、幅ガイドの爪と入口ガイドのスリットとを、傾斜導入通路における商品流れ方向に対して２組設け、何れの組の爪も、その頂部に向けて両側または片側に傾斜する形状であり、この爪に対応する入口ガイドのスリットの孔が、前記幅ガイドの爪の頂部が挿入される箇所は膨らんで太幅となり、前記幅ガイドの爪の端部が挿入されるスリットの端部が細幅となり、これらの太幅部分と細幅部分とがなだらかにつながった形状となるように構成することで、商品流れ方向上流側に配設された爪を、入口ガイドの前端にスライド可能に係合する幅ガイドの第１係合操作部が設けられた箇所と、入口ガイドにおいて横方向に延びるように形成されたスライド孔に挿通して係合する幅ガイドの第２係合操作部が設けられた箇所との間に配置した場合でも、商品流れ方向上流側に配設された爪のスリットへの挿入ならびに、商品流れ方向下流側に配設された爪のスリットへの挿入が一層容易となって操作性がさらに向上する。
【図面の簡単な説明】
【図１】本発明の実施の形態にかかる自動販売機の自動販売機本体上部の側面断面図である。
【図２】同自動販売機の入口ガイドおよび幅ガイドの側面断面図である。
【図３】同自動販売機の入口ガイドおよび幅ガイドの平面図である。
【図４】同自動販売機の入口ガイドおよび幅ガイドの正面図である。
【図５】同自動販売機の入口ガイドおよび幅ガイドの後部拡大斜視図である。
【図６】同自動販売機の入口ガイドおよび幅ガイドの拡大側面断面図である。
【図７】本発明の他の実施の形態にかかる同自動販売機の入口ガイドおよび幅ガイドの側面断面図である。
【図８】同自動販売機の入口ガイドおよび幅ガイドの拡大側面断面図である。
【図９】（ａ）および（ｂ）は本発明のその他の実施の形態にかかる自動販売機の入口ガイドおよび幅ガイドの後部拡大側面断面図、および入口ガイドのスリットの孔の平面図である。
【図１０】本発明のさらに他の実施の形態にかかる自動販売機の入口ガイドおよび幅ガイドの平面図である。
【図１１】従来の自動販売機の自動販売機本体上部の側面断面図である。
【図１２】同従来の自動販売機における入口ガイドおよび幅ガイドの側面断面図である。
【図１３】同従来の自動販売機の入口ガイドおよび幅ガイドの正面図である。
【図１４】同従来の自動販売機の入口ガイドおよび幅ガイドの平面図である。
【図１５】（ａ）および（ｂ）はそれぞれ同従来の自動販売機における入口ガイドおよび幅ガイドの後部拡大斜視図である。
【図１６】同従来の自動販売機の入口ガイドおよび幅ガイドの正面図である。
【図１７】同従来の自動販売機の入口ガイドおよび幅ガイドの平面図である。
【図１８】同従来の自動販売機の入口ガイドおよび幅ガイドの平面図である。
【符号の説明】
３        傾斜導入通路
４        入口ガイド
４ｂ      スライド溝
１１      幅ガイド
１２      底面部
１３      側面部
１４      第１係合操作部
１５      第２係合操作部
２１      第１の爪
２１ａ    頂部
２１ｂ    稜線部
２２      第２の爪
２２ａ    頂部
２２ｂ    稜線部
２３      第１のスリット
２３ａ    中央部
２３ｂ    両端部
２４      第２のスリット
２４ａ    中央部
２４ｂ    両端部
【図１】
0003727289.tif 000002
【図２】
0003727289.tif 000003
【図３】
0003727289.tif 000004
【図４】
0003727289.tif 000005
【図５】
0003727289.tif 000006
【図６】
0003727289.tif 000007
【図７】
0003727289.tif 000008
【図８】
0003727289.tif 000009
【図９】
0003727289.tif 000010
【図１０】
0003727289.tif 000011
【図１１】
0003727289.tif 000012
【図１２】
0003727289.tif 000013
【図１３】
0003727289.tif 000014
【図１４】
0003727289.tif 000015
【図１５】
0003727289.tif 000016
【図１６】
0003727289.tif 000017
【図１７】
0003727289.tif 000018
【図１８】
0003727289.tif 000019